(57)【特許請求の範囲】
【請求項１】
無線回線又は有線回線によりＬＡＮ接続された複数のマイクロ波無線通信装置と、前記マイクロ波無線通信装置の機器管理を行う監視制御端末とを備えたマイクロ波無線通信システムであって、
前記監視制御端末は、
前記マイクロ波無線通信装置を表すシンボルで構成されるネットワーク構成を描画し、描画されている前記マイクロ波無線通信装置に対する固有情報を登録する装置シンボル描画手段と、
前記装置シンボル描画手段によって描画されている前記マイクロ波無線通信装置に対して、ＩＰアドレスを割当てるＩＰアドレス自動割当手段と、
前記マイクロ波無線通信装置の固有情報と前記ＩＰアドレス自動割当手段によって割当てられたＩＰアドレスとが対応付けられて設定された識別情報を前記マイクロ波無線通信装置に送信する識別情報通信手段とを有し、
前記マイクロ波無線通信装置は、
前記マイクロ波無線通信装置の固有情報を記憶する固有情報記憶手段と、
前記監視制御端末から送信された識別情報に、前記固有情報記憶手段が記憶する固有情報と一致する固有情報が含まれているか否か判定する固有情報判定手段と、
前記固有情報判定手段が一致する固有情報が含まれていると判定した場合に、識別情報における固有情報と対応付けられたＩＰアドレスを記憶するＩＰアドレス記憶手段とを有する
ことを特徴とするマイクロ波無線通信システム。
【請求項２】
ＩＰアドレス自動割当手段は、複数のマイクロ波無線通信装置を含むネットワークをサブネットに分割する
請求項１記載のマイクロ波無線通信システム。
【請求項３】
ＩＰアドレス自動割当手段は、深さ優先探索を利用してネットワークをサブネットに分割する
請求項２記載のマイクロ波無線通信システム。
【請求項４】
固有情報記憶手段は、固有情報としてＭＡＣアドレスを記憶する
請求項１から請求項３のうちのいずれか１項に記載のマイクロ波無線通信システム。
【請求項５】
無線回線又は有線回線によりＬＡＮ接続された複数のマイクロ波無線通信装置を備えたマイクロ波無線通信システムに適用されるＩＰアドレス自動割当方法であって、
前記マイクロ波無線通信装置を表すシンボルで構成されるネットワーク構成を描画し、
描画されている前記マイクロ波無線通信装置に対する固有情報を登録し、
描画されている前記マイクロ波無線通信装置に対してＩＰアドレスを割当て、
ＩＰアドレスが割当てられると、前記マイクロ波無線通信装置の固有情報と割当てられたＩＰアドレスとが対応付けられて設定された識別情報を前記マイクロ波無線通信装置に送信する
ことを特徴とするＩＰアドレス自動割当方法。
【請求項６】
複数のマイクロ波無線通信装置を含むネットワークを深さ優先探索を利用してサブネットに分割した後に、前記マイクロ波無線通信装置に対してＩＰアドレスを割当てる
請求項５記載のＩＰアドレス自動割当方法。
【請求項７】
無線回線又は有線回線によりＬＡＮ接続された複数のマイクロ波無線通信装置が、前記マイクロ波無線通信装置の機器管理を行う監視制御端末から、前記複数のマイクロ波無線通信装置を含むネットワークの系構成をダウンロードする系構成情報ダウンロード方法であって、
前記マイクロ波無線通信装置に、固有情報を記憶させ、
前記監視制御端末が、前記ネットワークをサブネットに分割し、
前記監視制御端末が、前記マイクロ波無線通信装置の固有情報とIＰアドレスとを含む識別情報を前記マイクロ波無線通信装置に送信し、識別情報に含まれる固有情報と一致した固有情報を記憶している前記マイクロ波無線通信装置から応答を受信したとき、前記ネットワークの系構成を特定しうる情報を、応答した前記マイクロ波無線通信装置に送信する
ことを特徴とする系構成情報ダウンロード方法。
【請求項８】
マイクロ波無線通信装置に、固有情報としてＭＡＣアドレスを記憶させる
請求項７記載の系構成情報ダウンロード方法。
【発明の詳細な説明】
【技術分野】
【０００１】
本発明は、システム内のマイクロ波無線通信装置に対してＩＰアドレス割当作業を行う保守員の作業効率化を図ることができるマイクロ波無線通信システム、マイクロ波無線通信システムのＩＰアドレス自動割当方法、およびマイクロ波無線通信システムの系構成情報ダウンロード方法に関する。
【背景技術】
【０００２】
マイクロ波無線通信システムとして、複数のマイクロ波無線通信装置で構成されるシステムがある。各マイクロ波無線通信装置の監視等を行うために、それぞれのマイクロ波無線通信装置に識別アドレスを割り当てる必要がある。識別アドレスを割当てる方法として、装置出荷時に予め各マイクロ波無線通信装置に識別アドレス（例えば、装置ＩＤ）を登録しておく方法がある。
【０００３】
各マイクロ波無線通信装置に予め識別アドレスを割当てる場合、マイクロ波無線通信装置を増設するときには、マイクロ波無線通信システム内で識別アドレス管理を実施している最上位のマイクロ波無線通信装置（Ｒｏｏｔ  ＮＥ、すなわちＲｏｏｔ  Ｎｅｔｗｏｒｋ  Ｅｌｅｍｅｎｔ）、又は監視制御端末のアドレス管理テーブル（データベース）に、増設されたマイクロ波無線通信装置の必要情報を人の手を介して入力することが一般的である。よって、マイクロ波無線通信装置を増設するのに手間がかかる。
【０００４】
そのような手間を省く方法として、マイクロ波無線通信装置ではないが、ネットワーク機器に対して各種パラメータの設定した後、出荷する方法がある（例えば、特許文献１参照。）。ネットワーク機器には、予め一意のＭＡＣアドレス（製造時に付与される機器固有のアドレス）が付与されており、パラメータ設定用パーソナルコンピュータに付属しているバーコードリーダにより、ＭＡＣアドレスを読み取り、読み取られたＭＡＣアドレスに応じてネットワーク機器に対して識別アドレスであるＩＰアドレスが自動的に設定される。その後、ＩＰアドレスが設定されたネットワーク機器を出荷する。
【０００５】
一方、装置出荷時に予めマイクロ波無線通信装置に識別アドレスが登録されていないシステムを考えた場合、識別アドレスを自動で割振る方法として、ＴＣＰ／ＩＰ（Ｔｒａｎｓｍｉｓｓｉｏｎ  Ｃｏｎｔｒｏｌ／Ｉｎｔｅｒｎｅｔ  Ｐｒｏｔｏｃｏｌ）のＤＨＣＰプロトコル（Ｄｙｎａｍｉｃ  Ｈｏｓｔ  Ｃｏｎｆｉｇｕｒａｔｉｏｎ  Ｐｒｏｔｏｃｏｌ）を利用する方法が考えられる。ＤＨＣＰプロトコルを利用した場合、増設されたマイクロ波無線通信装置は、識別アドレスであるＩＰアドレスを得ることができる。
【０００６】
【特許文献１】特開２００４−２８９７３９号公報（段落０００６−００３３、図１）
【発明の開示】
【発明が解決しようとする課題】
【０００７】
特許文献１に記載された方法では、ネットワーク機器の系構成を管理するために、装置出荷前に機器の識別アドレスであるＩＰアドレスを設定する必要がある。よって、現地で増設された機器に対して、自動でＩＰアドレスを設定することができないという問題がある。
【０００８】
また、ＤＨＣＰプロトコルを利用した場合、ＩＰアドレスの要求があると、ＩＰアドレスの要求を行ったマイクロ波無線通信装置に、識別アドレスであるＩＰアドレスを配布してしまうので、不正に接続されたマイクロ波無線通信装置でもＩＰアドレスを取得することができ、セキュリティ上問題がある。
【０００９】
本発明は、上記の課題を解決するための発明であって、セキュリティを確保した上で、ＩＰアドレス割当作業を行う保守員の作業効率化を図ることができるマイクロ波無線通信システム、マイクロ波無線通信システムのＩＰアドレス自動割当方法、およびマイクロ波無線通信システムの系構成情報ダウンロード方法を提供することを目的とする。
【課題を解決するための手段】
【００１０】
本発明によるマイクロ波無線通信システムは、無線回線又は有線回線によりＬＡＮ接続された複数のマイクロ波無線通信装置と、マイクロ波無線通信装置の機器管理を行う監視制御端末とを備えたマイクロ波無線通信システムであって、監視制御端末は、マイクロ波無線通信装置を表すシンボルで構成されるネットワーク構成を描画し、描画されているマイクロ波無線通信装置に対する固有情報を登録する装置シンボル描画手段（例えば、装置シンボル描画機能部２１）と、装置シンボル描画手段によって描画されているマイクロ波無線通信装置に対して、ＩＰアドレスを割当てるＩＰアドレス自動割当手段（例えば、ＩＰアドレス自動割当機能部２２）と、マイクロ波無線通信装置の固有情報とＩＰアドレス自動割当手段によって割当てられたＩＰアドレスとが対応付けられて設定された識別情報をマイクロ波無線通信装置に送信する識別情報通信手段（例えば、系構成情報ダウンロード機能部２３）とを有し、マイクロ波無線通信装置は、マイクロ波無線通信装置の固有情報を記憶する固有情報記憶手段（例えば、自ＭＡＣアドレス保存部１６）と、監視制御端末から送信された識別情報に、固有情報記憶手段が記憶する固有情報と一致する固有情報が含まれているか否か判定する固有情報判定手段（例えば、制御部１１）と、固有情報判定手段が一致する固有情報が含まれていると判定した場合に、識別情報における固有情報と対応付けられたＩＰアドレスを記憶するＩＰアドレス記憶手段（例えば、自ＩＰアドレス保存部）とを有することを特徴とする。
【００１１】
また、マイクロ波無線通信システムにおいて、ＩＰアドレス自動割当手段は、複数のマイクロ波無線通信装置を含むネットワークをサブネットに分割することが好ましい。
【００１２】
また、マイクロ波無線通信システムにおいて、ＩＰアドレス自動割当手段は、深さ優先探索を利用してネットワークをサブネットに分割することが好ましい。そのような構成によれば、最適なＩＰアドレスを、マイクロ波無線通信装置に割当てをすることができ、更にマイクロ波無線通信装置の無線区間、有線区間の分岐が、ハードウェアの改造などにより多分岐構造になった場合でも対応できる。
【００１３】
また、マイクロ波無線通信システムにおいて、固有情報記憶手段は、固有情報としてＭＡＣアドレスを記憶するのが好ましい。
【００１４】
本発明によるＩＰアドレス自動割当方法は、無線回線又は有線回線によりＬＡＮ接続された複数のマイクロ波無線通信装置を備えたマイクロ波無線通信システムに適用されるＩＰアドレス自動割当方法であって、マイクロ波無線通信装置を表すシンボルで構成されるネットワーク構成を描画し、描画されているマイクロ波無線通信装置に対する固有情報を登録し、描画されているマイクロ波無線通信装置に対してＩＰアドレスを割当て、ＩＰアドレスが割当てられると、マイクロ波無線通信装置の固有情報と割当てられたＩＰアドレスとが対応付けられて設定された識別情報をマイクロ波無線通信装置に送信することを特徴とする。
【００１５】
また、ＩＰアドレス自動割当方法において、複数のマイクロ波無線通信装置を含むネットワークを深さ優先探索を利用してサブネットに分割した後に、マイクロ波無線通信装置に対してＩＰアドレスを割当てることが好ましい。
【００１６】
本発明による系構成情報ダウンロード方法は、無線回線又は有線回線によりＬＡＮ接続された複数のマイクロ波無線通信装置が、マイクロ波無線通信装置の機器管理を行う監視制御端末から、複数のマイクロ波無線通信装置を含むネットワークの系構成をダウンロードする系構成情報ダウンロード方法であって、マイクロ波無線通信装置に、固有情報を記憶させ、監視制御端末が、ネットワークをサブネットに分割し、監視制御端末が、マイクロ波無線通信装置の固有情報とIＰアドレスとを含む識別情報をマイクロ波無線通信装置に送信し、識別情報に含まれる固有情報と一致した固有情報を記憶しているマイクロ波無線通信装置から応答を受信したとき、ネットワークの系構成を特定しうる情報を、応答したマイクロ波無線通信装置に送信することを特徴とする。
【００１７】
また、系構成情報ダウンロード方法において、マイクロ波無線通信装置に、予めＭＡＣアドレスを固有情報として記憶させるのが好ましい。
【発明の効果】
【００１８】
本発明によれば、監視制御端末で、同一ネットワークにおけるマイクロ波無線通信装置の固有情報による機器管理とＩＰアドレスの管理を行うことができ、マイクロ波無線通信装置は、監視制御端末から送信された識別情報に、自固有情報と一致する固有情報が含まれているか否か判定し、自固有情報と一致する固有情報が含まれていると判定した場合に、識別情報における固有情報と対応付けられたＩＰアドレスを記憶することができるので、保守員は、マイクロ波無線通信装置の設置時には、設置場所に行って順次装置を立ち上げるだけでよく、保守員の作業効率化を図ることができる。
【発明を実施するための最良の形態】
【００１９】
以下、本発明の実施の形態を図面を参照して説明する。図１は、本発明によるマイクロ波無線通信システムにおける統合監視制御端末の構成の一例を示すブロック図である。統合監視制御端末２０は、装置シンボル描画機能部２１と、ＩＰアドレス自動割当機能部２２と、系構成情報ダウンロード機能部２３とを含む。
【００２０】
統合監視制御端末２０は、具体的には、ワークステーションやパーソナルコンピュータ等の情報処理装置によって実現される。本実施の形態において、装置シンボル描画機能部２１は、系構成を配置するための表示部を有し、系構成情報ダウンロード機能部２３は、マイクロ波無線通信装置１０（図２に示す）と通信できる通信インターフェース部を有する。装置シンボル描画機能部２１、ＩＰアドレス自動割当機能部２２および系構成情報ダウンロード機能部２３は、例えば、統合監視制御端末２０の制御部によって実現される。制御部は、具体的には、プログラムに従って動作する情報制御装置のＣＰＵによって実現される。
【００２１】
装置シンボル描画機能部２１は、表示部に複数のマイクロ波無線通信装置１０で構成される系構成を描画し、マイクロ波無線通信装置１０の固有情報を登録する。この実施の形態では、マイクロ波無線通信装置１０の固有情報として、ＭＡＣアドレス（出荷時にマイクロ波無線通信装置に読込まれたアドレス）が使用される。
【００２２】
図２は、マイクロ波無線通信装置１０の構成の一例を示すブロック図である。マイクロ波無線通信装置１０は、装置全体を制御する制御部１１と、無線回線部（送・受信）１２と、有線回線部（送・受信）１３と、分岐用有線回線部（送・受信）１４と、監視制御端末インタフェース部１５と、自ＭＡＣアドレス保存部１６と、系構成テーブル保存部１７と、自ＩＰアドレス保存部１８と、アンテナ１９とを含む。マイクロ波無線通信装置１０がマスタ局に位置づけられる場合には、マイクロ波無線通信装置１０は、監視制御端末インタフェース部１５を介して、統合監視制御端末２０に接続される。
【００２３】
自ＭＡＣアドレス保存部１６には、装置出荷時にＭＡＣアドレスが登録されている。系構成テーブル保存部１７および自ＩＰアドレス保存部１８は、統合監視制御端末２０で自動作成されたデータの保存部であり、統合監視制御端末２０から系構成テーブルおよびＩＰアドレスのデータが送られてきたとき、それらのデータを保存する。
【００２４】
無線回線部（送・受信）１２は、他のマイクロ波無線通信装置との間の無線通信を行う回路部であり、有線回線部（送・受信）１３および分岐用有線回線部（送・受信）１４は、他のマイクロ波無線通信装置との間の有線通信を行う回路部である。無線回線部（送・受信）１２、有線回線部（送・受信）１３、および分岐用有線回線部（送・受信）１４は、ハードウェアの改造に応じて多分岐構造になる場合がある。
【００２５】
図３は、統合監視制御端末２０の表示部に表示される画面の一例を示す説明図である。装置シンボル描画機能部２１は、ネットワーク管理者（または、ユーザ）の操作に応じて、表示部に、１つ又は複数の１ホップ（２つのマイクロ波無線通信装置１０が無線回線を介して接続されている状態）のマイクロ波無線通信装置１０のシンボルを配置する。なお、装置シンボル描画機能部２１は、ネットワーク管理者の操作に応じて、表示部に、マイクロ波無線通信装置１０のシンボルのみを配置するようにしてもよい。
【００２６】
次いで、装置シンボル描画機能部２１は、マイクロ波無線通信装置１０のＭＡＣアドレス入力画面を表示する。また、ネットワーク管理者がローカル側（統合監視制御端末２０をホストとする。すなわちローカル側は全てのマイクロ波無線通信装置１０を含む）に設置されているマイクロ波無線通信装置のＭＡＣアドレスを入力すると、入力されたＭＡＣアドレスをマイクロ波無線通信装置に対応付ける。さらに、ネットワーク管理者が２つのマイクロ波無線通信装置１０のシンボルをクリックしたことに応じて、装置シンボル描画機能部２１は、有線回線（Ｂａｃｋ−Ｂａｃｋ接続）を表示部に描画する。なお、表示部に、マイクロ波無線通信装置１０のシンボルのみを配置するようにした場合には、ネットワーク管理者が２つのマイクロ波無線通信装置１０のシンボルをクリックしたことに応じて、有線回線又は無線回線を描画する。以下、有線回線又は無線回線を描画する場合を例にする。
【００２７】
図４は、統合監視制御端末２０の表示部に表示される画面の他の例を示す説明図である。図４には、有線回線又は無線回線によりＬＡＮ接続された系の構成が示され、同一ネットワーク内に、マイクロ波無線通信装置が２１個（すなわち、マイクロ波無線通信装置ＮＥ１〜マイクロ波無線通信装置ＮＥ２１）が画面上に配置されている例が示されている。
【００２８】
ＩＰアドレス自動割当機能部２２は、ネットワークアドレス入力機能と、深さ優先探索によるＩＰアドレス自動割当機能とを有する。ＩＰアドレス自動割当機能部２２は、装置シンボル描画機能部２１にマイクロ波無線通信装置１０のＭＡＣアドレスが入力され、有線回線又は無線回線が描画された後に起動される。
【００２９】
ＩＰアドレス自動割当機能部２２が起動されると、ＩＰアドレス自動割当機能部２２は、ネットワークアドレス入力画面を表示部に表示する。ネットワーク管理者は、ローカル側に設置されるマイクロ波無線通信装置１０に割当ててよいネットワークアドレスを入力する。
【００３０】
さらに、ＩＰアドレス自動割当機能部２２は、深さ優先探索で全てのマイクロ波無線通信装置１０で構成されるネットワークをサブネットに分割し、各サブネットに許可されるネットワークアドレスを割当て、各マイクロ波無線通信装置１０のシンボルにＩＰアドレスを割当てる。ＩＰアドレス自動割当機能部２２は、それぞれのマイクロ波無線通信装置１０のＭＡＣアドレスとＩＰアドレスとをＭＡＣアドレス／ＩＰアドレス照合データベースに記憶する。
【００３１】
図５は、ＭＡＣアドレス／ＩＰアドレス照合データベースに記憶される内容の一例を示す説明図である。ＭＡＣアドレス／ＩＰアドレス照合データベースには、ネットワークマップ画面上のシンボルに対応するシンボル番号、ＭＡＣアドレスおよびＩＰアドレスの他に、ブロードキャスト結果および装置情報取得結果が含まれる。
【００３２】
図６は、統合監視制御端末２０のＩＰアドレス自動割当機能の一例を示す説明図である。図６に示す例では、図４に示す系構成において、マイクロ波無線通信装置ＮＥ１が、Ｒｏｏｔ  ＮＥ（先頭装置）になっている。Ｒｏｏｔ  ＮＥおよびＢｒａｎｃｈ  ＮＥ（分割された各サブネットの先頭装置）のサブネットマスク値が２５５．２５５．２５５．２４８（１サブネットに許容されるＮＥ数は６）である場合、深さ優先探索によって、ネットワークが、それぞれ最大６個のＮＥ数を含む複数のサブネットに分割されていることを表している。
【００３３】
サブネットマスク値は説明のために小さい値にされているが、実際の装置では、１サブネットのＮＥ数をもっと大きくとれるサブネットマスク値が設定されている。深さ優先探索により、１つのネットワークが、サブネット１→サブネット２→サブネット３→サブネット４→サブネット５→サブネット６→サブネット７→サブネット８の順番でサブネットに分割される。そして、各サブネットの先頭装置から順番にＩＰアドレスが割当てられていく。各サブネットにおけるマイクロ波無線通信装置には、各サブネット毎に許容されるネットワークアドレスの先頭ＩＰアドレスから順番にＩＰアドレスが割り当てられる。
【００３４】
サブネット２、サブネット７が末端の装置１つでサブネットを構成している理由は、装置の増設時にこのサブネットを先頭にして深さ優先探索のルールをスタートさせることが可能なようにサブネットを切っているからである。この場合、サブネット２やサブネット７に接続される装置を増設した場合には、サブネット２やサブネット７の先頭装置のＩＰアドレスはそのままで、新規の装置に対して、残っているＩＰアドレスを続きで割当てることができる。
【００３５】
統合監視制御端末２０における系構成情報ダウンロード機能部２３は、ＭＡＣアドレス／ＩＰアドレスリストをブロードキャスト送信する機能およびマイクロ波無線通信装置１０の装置情報取得機能を有する。系構成情報ダウンロード機能部２３は、ＭＡＣアドレス／ＩＰアドレス照合データベースから抽出されたＭＡＣアドレス／ＩＰアドレスのリストを、通信インターフェース部を介して、ＬＡＮ接続されている全マイクロ波無線通信装置にブロードキャスト送信する。なお、統合監視制御端末２０は、マスタ局のマイクロ波無線通信装置と通信インターフェース部を介して接続されており、マスタ局のマイクロ波無線通信装置と他のマイクロ波無線通信装置とは、無線回線又は有線回線を介してＬＡＮ接続されている。
【００３６】
ブロードキャスト送信後、ＭＡＣアドレスに対応するマイクロ波無線通信装置から、応答があった場合は、図５に示すように、ブロードキャスト結果を「ＮＧ」から「ＯＫ」に変更する。
【００３７】
系構成情報ダウンロード機能部２３は、装置情報取得機能によって、ブロードキャスト結果が「ＯＫ」になったマイクロ波無線通信装置に対して装置情報要求を送信する。装置情報要求に対して、該当するマイクロ波無線通信装置から装置情報が取得できた場合、図５に示す装置情報取得結果を「ＮＧ」から「ＯＫ」に変更する。
【００３８】
本実施の形態では、統合監視制御端末２０の表示部に配置した各マイクロ波無線通信装置１０のシンボルに対応するマイクロ波無線通信装置のＭＡＣアドレスが統合監視制御端末２０に入力され、そのＭＡＣアドレスにより、マイクロ波無線通信システムにおけるマイクロ波無線通信の機器管理が行われる。
【００３９】
また、ＩＰアドレス自動割当機能部２２が、ネットワークをサブネットに分割する方法として、深さ優先探索を応用して用いることにより、ネットワーク構成が多分岐構成になった場合でも対応できる。
【００４０】
次に、動作について説明する。図７および図８は、本発明によるマイクロ波無線通信システムにおいて、深さ優先探索を応用して１ネットワークをサブネットに分割していく分割方法の一例を示すフローチャートである。
【００４１】
ここでは、サブネットの先頭装置のシンボル名称をブランチシンボルとし、深さ優先探索を応用した分割方法をブランチシンボル自動設定という。また、サブネットの先頭装置をＢｒａｎｃｈ  ＮＥという。前提条件として、統合監視制御端末２０側からＢｒａｎｃｈ  ＮＥを決定し、さらに、深さ優先探索の応用で他のＢｒａｎｃｈ  ＮＥを自動設定していく場合を例にする。
【００４２】
ＩＰアドレス自動割当機能部２２は、ＮＥの先頭をＲｏｏｔ  ＮＥ（統合監視制御端末２０に直接繋がる装置）に設定する（ステップＳ１）。
【００４３】
ＩＰアドレス自動割当機能部２２は、ＬＩＦＯ型（Ｌａｓｔ  Ｉｎ  Ｆｉｒｓｔ  Ｏｕｔ）の複数のスタック等を準備し初期化する。この例では、スタックＡ＝空、スタックＢ＝空に設定する。さらに、ＩＰアドレス自動割当機能部２２は、変数Ｃ＝０、フラグＤ＝０、キューＥ＝空に設定する（ステップＳ２）。キューＥには、取り出されたＮＥが蓄積される。
【００４４】
ＩＰアドレス自動割当機能部２２は、サブネットの先頭ＮＥのサブネットマスク値を確認する。そして、サブネットマスク値からサブネット数を計算し、サブネット数を変数Ｃに保存する（ステップＳ３）。
【００４５】
ＩＰアドレス自動割当機能部２２は、サブネットの先頭ＮＥをスタックＡに入れる（ステップＳ４）。ＩＰアドレス自動割当機能部２２は、スタックＡからＮＥを取り出す（ステップＳ５）。ＩＰアドレス自動割当機能部２２は、フラグＤが０であるか否かを判定する（ステップＳ６）。そして、フラグＤが０である場合には、スタックＡから取り出したＮＥをキューＥに入れる。フラグＤの初期値は０であるので、ＩＰアドレス自動割当機能部２２は、スタックＡから取り出したＮＥをキューＥに入れる（ステップＳ７）。キューＥのＮＥ数の確認処理に進む。
【００４６】
キューＥのＮＥ数の確認処理において、ＩＰアドレス自動割当機能部２２は、変数Ｃ（サブネット数）が、取り出し済みのＮＥ数（キューＥの中のＮＥ数)と同数であるか判定する（ステップＳ１４）。取り出し済みのＮＥ数が、変数Ｃよりも少ない場合、すなわち、Ｎｏ（”＞”（少ない））であれば、取り出したＮＥの履歴確認処理に進む。取り出したＮＥの履歴確認処理において、ＩＰアドレス自動割当機能部２２は、取り出したＮＥが、過去に訪れたＮＥであるか判定する（ステップＳ１６）。最初は過去に訪れたＮＥではないので、ＩＰアドレス自動割当機能部２２は、取り出したＮＥに繋がるＮＥがあるかを判定する（ステップＳ１７）。取り出したＮＥに繋がるＮＥがない場合は、ステップＳ１８に進む。
【００４７】
最初は繋がるＮＥがあるので、ＩＰアドレス自動割当機能部２２は、そのＮＥに繋がる全てのＮＥを、スタックＡに追加する。そのＮＥに繋がるＮＥが複数ある場合、図９に示す優先順位の低いポートからスタックＡに入れる。図９は、４つのポートの優先順位リストを示す説明図である。図９に示すリストを用いた場合には、スタックＡに、優先順位が最も低いポートから、ポート４、ポート３、ポート２、ポート１の順に入れる。なお、ポート数が多くなった場合には、ポート優先順位リストにポートを追加することができる。また、応用例として優先順位も可変とすることできる。また、取り出したＮＥに繋がるＮＥ数が２つ以上である場合、スタックＢに多分岐の元となったＮＥを保存しておく（ステップＳ１９）。そして、ステップＳ２１に進む。
【００４８】
ＩＰアドレス自動割当機能部２２は、スタックＡが空であるかを判定する（ステップＳ２１）。スタックＡが空ではない場合、ステップＳ５のスタックＡからＮＥを取り出す処理に戻る。これを繰り返すことにより、スタックＡからのＮＥをキューＥにためる。スタックＡが空である場合、キューＥにたまっているＮＥで、サブネットを閉じる。そして、スタックＡ、スタックＢ、変数Ｃ、およびキューＥをクリアして（ステップＳ２２）、一連の処理を終了する。
【００４９】
ステップＳ１４において、ＩＰアドレス自動割当機能部２２が、変数Ｃ（サブネット数）が、取り出し済みのＮＥ数と同数である（変数Ｃ＝取り出し済みのＮＥ数）と判定した場合、キューＥにたまっているＮＥでサブネットを閉じる。ＩＰアドレス自動割当機能部２２は、最後に取り出したＮＥを、新しいＢｒａｎｃｈ  ＮＥに設定し、キューＥをクリアする初期化処理を実行する（ステップＳ１５）。そして、ＩＰアドレス自動割当機能部２２は、元に戻ってステップＳ３のサブネットの先頭ＮＥのサブネットマスク値を確認する。サブネットマスク値で決定されるサブネット数を変数Ｃに保存する（ステップＳ３）。
【００５０】
ステップＳ１６において、取り出したＮＥが、過去に訪れたＮＥであると判定された場合、ＩＰアドレス自動割当機能部２２は、そのＮＥに繋がるＮＥがないか否かを判定する（ステップＳ１８）。すなわち、ＩＰアドレス自動割当機能部２２は、末端のＮＥでサブネットが切られてしまう場合、そのＮＥに繋がるＮＥが無いか否かにより判定する。ＩＰアドレス自動割当機能部２２は、そのＮＥに繋がるＮＥがあると判定した場合、ステップＳ１９に進む。
【００５１】
ＩＰアドレス自動割当機能部２２は、そのＮＥに繋がるＮＥがないと判定した場合、フラグＤを１に設定する（ステップＳ２０）。そして、ステップＳ２１に進む。
【００５２】
また、ステップＳ６において、フラグＤ＝０でない（フラグＤ＝１）場合には、ＩＰアドレス自動割当機能部２２は、取り出したＮＥの１つ前の接続先が、キューＥの中に存在しているか否か判定する（ステップＳ８）。取り出したＮＥの１つ前の接続先が、キューＥの中に存在している場合には、ＩＰアドレス自動割当機能部２２は、フラグＤを初期化処理としてクリアする（ステップＳ９）。その後、ステップＳ１４に進む。
【００５３】
ステップＳ８において、取り出したＮＥの１つ前の接続先がキューＥの中に存在していないことを確認した場合、ＩＰアドレス自動割当機能部２２は、スタックＡから取り出したＮＥをスタックＡに戻し、キューＥにたまっているＮＥでサブネットを閉じる。さらに、キューＥおよびフラグＤを、初期化処理としてクリアする（ステップＳ１０）。
【００５４】
その後、ＩＰアドレス自動割当機能部２２は、スタックＢが空であるか否かを判定する（ステップＳ１１）。スタックＢが空である場合、スタックＡ、スタックＢ、変数Ｃ、およびキューＥをクリアして（ステップＳ１２）、一連の処理を終了する。
【００５５】
スタックＢが空でない場合、ＩＰアドレス自動割当機能部２２は、スタックＢからＮＥを取り出し、分岐が残っていなければスタックＢから取り出したＮＥを廃棄し、分岐が残っているＮＥを取り出すまでスタックＢからＮＥを取り出す処理を繰り返す。ＩＰアドレス自動割当機能部２２は、取り出したＮＥ（分岐が残っているＮＥ）をＢｒａｎｃｈ  ＮＥとする。そのとき、たどっていない分岐が２つ以上であったら、スタックＢから取り出したＮＥをスタックＢに戻す（ステップＳ１３）。さらに、フローチャートに従って制御が実行されると、例えば図６に示されたように、１ネットワークが複数のサブネットに分割される。
【００５６】
次に、図４および図６に示した系構成を例にして、また、図７および図８のフローチャートを参照して、ＩＰアドレス自動割当機能部２２の動作について具体的に説明する。なお、上述したように、図６には、図４に示す１ネットワークが８つのサブネットに分割された例が示されている。また、図７および図８のフローチャートに記載されている処理については既に説明されているので、以下、説明を簡略化することがある。
【００５７】
ＩＰアドレス自動割当機能部２２は、図４に示されたマイクロ波無線通信装置ＮＥ１をＲｏｏｔ  ＮＥに設定する（ステップＳ１）。そして、ステップＳ２〜Ｓ７の処理を行う。この場合には、ステップＳ４において、スタックＡにはＮＥ１が入る。また、ステップＳ７において、キューＥにＮＥ１が入る。
【００５８】
ＩＰアドレス自動割当機能部２２は、ステップＳ１４のキューＥのＮＥ数の確認処理に進む。この場合には、変数Ｃは６、取り出し済みのＮＥ数は１であり、同数でないので、過去に訪れたＮＥであるか判定する（ステップＳ１６）。最初は過去に訪れたＮＥではないので、ＩＰアドレス自動割当機能部２２は、取り出したＮＥ１に繋がるＮＥがあるかを判定する（ステップＳ１７）。ＮＥ１にはＮＥ２のみが繋がっているので、ＩＰアドレス自動割当機能部２２は、ＮＥ１に繋がるＮＥ２を、スタックＡに追加する（ステップＳ１９）。ＩＰアドレス自動割当機能部２２は、スタックＡが空であるかを判定する（ステップＳ２１）。スタックＡには、ＮＥ２が入っているので、すなわち空ではないので、ステップＳ５のスタックＡからＮＥを取り出す処理に戻る。これで、ＮＥ１についての処理が終了する。次に、ＮＥ２についての処理を実行する。
【００５９】
ＩＰアドレス自動割当機能部２２は、スタックＡからＮＥ２を取り出す（ステップＳ５）。すると、スタックＡは空になる。続いて、ステップＳ６，Ｓ７の処理を行う。ステップＳ７の処理の実行後には、キューＥには、ＮＥ１およびＮＥ２が入っている。ＩＰアドレス自動割当機能部２２は、ステップＳ１４のキューＥのＮＥ数の確認処理に進む。変数Ｃは６、取り出し済みのＮＥ数は２であり、同数でないので、ステップＳ１４からステップＳ１６に進む。ステップＳ１６において、取り出したＮＥ２は過去に訪れたＮＥではないと判定され、ＩＰアドレス自動割当機能部２２は、取り出したＮＥ２に繋がるＮＥがあるかを判定する（ステップＳ１７）。ＮＥ２にはＮＥ３のみが繋がっているので、ＩＰアドレス自動割当機能部２２は、ＮＥ３をスタックＡに追加する（ステップＳ１９）。ＩＰアドレス自動割当機能部２２は、スタックＡが空であるかを判定する（ステップＳ２１）。スタックＡには、ＮＥ３が入っているので、ステップＳ５のスタックＡからＮＥを取り出す処理に戻る。これで、ＮＥ２についての処理が終了する。次に、ＮＥ３についての処理を実行する。
【００６０】
ＩＰアドレス自動割当機能部２２は、スタックＡからＮＥ３を取り出す（ステップＳ５）。すると、スタックＡは空になる。続いて、ステップＳ６，Ｓ７の処理を行う。ステップＳ７の処理の実行後には、キューＥには、ＮＥ１、ＮＥ２およびＮＥ３が入っている。ＩＰアドレス自動割当機能部２２は、ステップＳ１４のキューＥのＮＥ数の確認処理に進む。変数Ｃは６、取り出し済みのＮＥ数は３であり、同数でないので、ステップＳ１６に進む。ステップＳ１６において、取り出したＮＥ３は過去に訪れたＮＥではないと判定され、ＩＰアドレス自動割当機能部２２は、取り出したＮＥ３に繋がるＮＥがあるかを判定する（ステップＳ１７）。ＮＥ３にはＮＥ４のみが繋がっているので、ＩＰアドレス自動割当機能部２２は、ＮＥ３に繋がるＮＥ４を、スタックＡに追加する（ステップＳ１９）。ＩＰアドレス自動割当機能部２２は、スタックＡが空であるかを判定する（ステップＳ２１）。スタックＡには、ＮＥ４が入っているので、ステップＳ５のスタックＡからＮＥを取り出す処理に戻る。これで、ＮＥ３についての処理が終了する。次に、ＮＥ４についての処理を実行する。
【００６１】
ＩＰアドレス自動割当機能部２２は、スタックＡからＮＥ４を取り出す（ステップＳ５）。すると、スタックＡは空になる。続いて、ステップＳ６，Ｓ７の処理を行う。ステップＳ７の処理の実行後には、キューＥには、ＮＥ１、ＮＥ２、ＮＥ３およびＮＥ４が入っている。ＩＰアドレス自動割当機能部２２は、ステップＳ１４のキューＥのＮＥ数の確認処理に進む。変数Ｃは６、取り出し済みのＮＥ数は４であり、同数でないので、ステップＳ１６に進む。ステップＳ１６において、取り出したＮＥ４は過去に訪れたＮＥではないと判定され、ＩＰアドレス自動割当機能部２２は、取り出したＮＥ４に繋がるＮＥがあるかを判定する（ステップＳ１７）。ＮＥ４にはＮＥ５のみが繋がっているので、ＩＰアドレス自動割当機能部２２は、ＮＥ４に繋がるＮＥ５を、スタックＡに追加する（ステップＳ１９）。ＩＰアドレス自動割当機能部２２は、スタックＡが空であるかを判定する（ステップＳ２１）。スタックＡには、ＮＥ４が入っているので、ステップＳ５のスタックＡからＮＥを取り出す処理に戻る。これで、ＮＥ４についての処理が終了する。次に、ＮＥ５についての処理を実行する。
【００６２】
ＩＰアドレス自動割当機能部２２は、スタックＡからＮＥ５を取り出す（ステップＳ５）。すると、スタックＡは空になる。続いて、ステップＳ６，Ｓ７の処理を行う。ステップＳ７の処理の実行後には、キューＥには、ＮＥ１、ＮＥ２、ＮＥ３、ＮＥ４およびＮＥ５が入っている。ＩＰアドレス自動割当機能部２２は、ステップＳ１４のキューＥのＮＥ数の確認処理に進む。変数Ｃは６、取り出し済みのＮＥ数は５であり、同数でないので、ステップＳ１６に進む。ステップＳ１６において、取り出したＮＥ５は過去に訪れたＮＥではないと判定され、ＩＰアドレス自動割当機能部２２は、取り出したＮＥ５に繋がるＮＥがあるかを判定する（ステップＳ１７）。ＮＥ５には、ＮＥ６、ＮＥ８およびＮＥ９が繋がっているので、ＩＰアドレス自動割当機能部２２は、ＮＥ５に繋がる全てのＮＥを、スタックＡに追加する（ステップＳ１９）。繋がるＮＥが、複数ある場合は、図９に示すように、優先順位の低いポートからスタックＡに追加する。ここでは、スタックＡに、ＮＥ６、ＮＥ９、ＮＥ８の順に入れる。又、取り出したＮＥに繋がるＮＥが二つ以上であるので、スタックＢに多分枝の元となったＮＥを保存する。すなわち、スタックＢにＮＥ５を保存する。ＩＰアドレス自動割当機能部２２は、スタックＡが空であるかを判定する（ステップＳ２１）。スタックＡには、ＮＥ６、ＮＥ９およびＮＥ８が入っているので、ステップＳ５のスタックＡからＮＥを取り出す処理に戻る。これで、ＮＥ５についての処理が終了する。次の処理を実行する。
【００６３】
ＩＰアドレス自動割当機能部２２は、スタックＡからＮＥ８を取り出す（ステップＳ５）。スタックＡには、ＮＥ６およびＮＥ９が残る。続いて、ステップＳ６，Ｓ７の処理を行う。ステップＳ７の処理の実行後には、キューＥには、ＮＥ１、ＮＥ２、ＮＥ３、ＮＥ４、ＮＥ５およびＮＥ８が入っている。ＩＰアドレス自動割当機能部２２は、ステップＳ１４のキューＥのＮＥ数の確認処理に進む。変数Ｃは６、取り出し済みのＮＥ数は６であるので、ＩＰアドレス自動割当機能部２２は、ステップＳ１４において、変数Ｃ（サブネット数）が取り出し済みのＮＥ数と同数である（変数Ｃ＝取り出し済みのＮＥ数）と判定する。ＩＰアドレス自動割当機能部２２は、キューＥにたまっているＮＥでサブネットを閉じる（ステップＳ１５）。すなわち、サブネット１が、ＮＥ１、ＮＥ２、ＮＥ３、ＮＥ４、ＮＥ５およびＮＥ８を含むグループとして形成される。ＩＰアドレス自動割当機能部２２は、最後に取り出したＮＥ８を、新しいＢｒａｎｃｈ  ＮＥに設定し、キューＥをクリアする初期化処理を実行する。そして、ＩＰアドレス自動割当機能部２２は、ステップＳ３に戻り、サブネットの先頭ＮＥのサブネットマスク値を確認する。
【００６４】
次に、サブネット２の決定方法について説明する。ステップＳ３において、ＩＰアドレス自動割当機能部２２は、サブネットの先頭ＮＥのサブネットマスク値を確認する。この例では、サブネットマスク値２５５．２５５．２５５．２４８が確認される。そして、サブネットマスク値２５５．２５５．２５５．２４８からサブネット数を計算し、変数Ｃとして６を保存する（ステップＳ３）。ＩＰアドレス自動割当機能部２２は、サブネットの先頭ＮＥであるＮＥ８をスタックＡに入れる（ステップＳ４）。すなわち、スタックＡには、ＮＥ６、ＮＥ９およびＮＥ８が入っている。
【００６５】
ＩＰアドレス自動割当機能部２２は、スタックＡからＮＥ８を取り出す（ステップＳ５）。スタックＡには、ＮＥ６およびＮＥ９が残る。ＩＰアドレス自動割当機能部２２は、フラグＤが０であるか否かを判定する（ステップＳ６）。続いて、ステップＳ６，Ｓ７の処理を行う。ステップＳ７の処理の実行後には、キューＥにＮＥ８が入る。ＩＰアドレス自動割当機能部２２は、ステップＳ１４のキューＥのＮＥ数の確認処理に進む。変数Ｃは６、取り出し済みのＮＥ数は１であり、同数でないので、ステップＳ１６に進む。ステップＳ１６において、取り出したＮＥ８は過去に訪れたＮＥであると判定され、ＩＰアドレス自動割当機能部２２は、取り出したＮＥ８に繋がるＮＥがあるかを判定する（ステップＳ１８）。ＮＥ８に繋がるＮＥがないので、フラグＤを１に設定する（ステップＳ２０）。次いで、ＩＰアドレス自動割当機能部２２は、スタックＡが空であるかを判定する（ステップＳ２１）。スタックＡには、ＮＥ６およびＮＥ９が入っているので、ステップＳ５のスタックＡからＮＥを取り出す処理に戻る。これで、ＮＥ８についての処理が終了し、ステップＳ５についての処理に進む。
【００６６】
ＩＰアドレス自動割当機能部２２は、スタックＡからＮＥ９を取り出す（ステップＳ５）。スタックＡには、ＮＥ６が残る。ＩＰアドレス自動割当機能部２２は、フラグＤが０であるか否かを判定する（ステップＳ６）。フラグＤは０でない（フラグＤ＝１）ので、ＩＰアドレス自動割当機能部２２は、取り出したＮＥ９の１つ前の接続先が、キューＥの中に存在しているか否か判定する（ステップＳ８）。ＮＥ９の１つ前の接続先ＮＥ５がキューＥの中に存在していないので、ＩＰアドレス自動割当機能部２２は、スタックＡから取り出したＮＥ９をスタックＡに戻し、キューＥにたまっているＮＥでサブネットを閉じる。すなわち、サブネット２が、ＮＥ８を含むグループとして形成される。また、キューＥおよびフラグＤをクリアする（ステップＳ１０）。この段階で、スタックＡには、ＮＥ６およびＮＥ９が入っている。
【００６７】
その後、ＩＰアドレス自動割当機能部２２は、スタックＢが空であるか否かを判定する（ステップＳ１１）。スタックＢには、ＮＥ５が入っているので、ＩＰアドレス自動割当機能部２２は、スタックＢからＮＥ５を取り出し、分岐が残っていなければＮＥ５を廃棄する。しかし、ＮＥ５は分岐が残っているＮＥであるから（図６参照）取り出したＮＥ５をＢｒａｎｃｈ  ＮＥとする。また、たどっていない分岐（ＮＥ６への分岐およびＮＥ９への分岐）が２つ以上あるので、ＮＥ５をスタックＢに戻す。
【００６８】
さらに、ＩＰアドレス自動割当機能部２２が図７および図８のフローチャートに従って制御を実行すると、サブネット３〜サブネット８を作成することができる。その結果、図６に示された１ネットワークを、人手を介さずに、すなわち自動的に、複数のサブネットに分割をすることができる。
【００６９】
図１０は、統合監視制御端末２０の動作を示すフローチャートである。統合監視制御端末２０の動作を、図４および図６を参照して説明する。ネットワーク管理者（あるいはユーザ）は、統合監視制御端末２０の表示部にマイクロ波無線通信装置１０のシンボルを配置する。装置シンボル配置時に、装置シンボル描画機能部２１は、各装置のＭＡＣアドレスを登録する画面を表示するので、ネットワーク管理者は、ＭＡＣアドレスを登録する。ネットワーク管理者が、２つのシンボルをクリックすることにより、装置シンボル描画機能部２１は、有線回線（Ｂａｃｋ−Ｂａｃｋ接続）又は無線回線を描画する（ステップＳ１０１）。
【００７０】
装置シンボル描画機能部２１は、表示部に描画されている全装置に割振りたいネットワークアドレスを登録する画面を表示する。その画面において、ネットワーク管理者は、ネットワークアドレスを入力する（ステップＳ１０２）。すなわち、１ネットワークに使用してよいネットワークアドレスの範囲を決めるために、１つのネットワークアドレスを入力する。装置シンボル描画機能部２１は、入力されたネットワークアドレスを、例えば統合監視制御端末２０の記憶部に登録する。図６に例示されたネットワークの場合、例えば、ネットワークアドレスとして１７２．１８．０．０、サブネットマスク値として２５５．２５５．０．０を設定する。
【００７１】
ネットワークアドレスが登録されると、ＩＰアドレス自動割当機能部２２が起動する。ＩＰアドレス自動割当機能部２２は、ブランチシンボル自動設定機能により、Ｂｒａｎｃｈ  ＮＥになった順番で、先頭からサブネットが割当てられる（ステップＳ１０３）。１番はＲｏｏｔ  ＮＥ、次はブランチシンボル自動設定によって、Ｂｒａｎｃｈ  ＮＥになった順番でサブネットが割当てられる。
【００７２】
ＩＰアドレス自動割当機能部２２は、ネットワーク管理者によって登録されたネットワークアドレスを、各サブネットの先頭ＮＥのサブネットマスク値の内容によって分割していく（ステップＳ１０４）。図６に例示されたネットワークの場合、例えば、サブネットマスク値を２５５．２５５．２５５．２４８（ＮＥ数６）にしているので、ネットワークアドレスをサブネットの若番から分割していくことになる。サブネット１は、ネットワークアドレス１７２．１８．０．０、サブネットマスク値２５５．２５５．２５５．２４８であるので、使用できるＩＰアドレスは、１７２．１８．０．１〜１７２．１８．０．６となる。サブネット２は、ネットワークアドレス１７２．１８．０．８、サブネットマスク値２５５．２５５．２５５．２４８であるので、使用できるＩＰアドレスは、１７２．１８．０．９〜１７２．１８．０．１４となる。サブネット３は、ネットワークアドレス１７２．１８．０．１６、サブネットマスク値２５５．２５５．２５５．２４８であるので、使用できるＩＰアドレスは、１７２．１８．０．１７〜１７２．１８．０．２２となる。以下、同様にサブネット４〜サブネット８についても、使用できるＩＰアドレスを設定していく。また、分割されて生成されたネットワークアドレスをサブネットネットワークアドレスという。
【００７３】
ＩＰアドレス自動割当機能部２２は、各サブネットに割り当てられたサブネットネットワークアドレスの若番ＩＰアドレスから、キューＥにためられていたＮＥ順で、各ＮＥに、親ＮＥ（Ｂｒａｎｃｈ  ＮＥ）からＩＰアドレスを割振る（ステップＳ１０５）。
【００７４】
そして、ＩＰアドレス自動割当機能部２２は、自動ＩＰアドレス割振り（ステップＳ１０３〜Ｓ１０５の処理結果）から各ＮＥの静的系構成情報を作成する（ステップＳ１０６）。
【００７５】
ＩＰアドレス自動割当機能部２２は、割振られたＩＰアドレスを、ＭＡＣアドレス／ＩＰアドレス照合データベースに保存する（ステップＳ１０７）。ＭＡＣアドレス／ＩＰアドレス照合データベースには、図５に示すように、シンボル番号に対応してＭＡＣアドレス／ＩＰアドレス／ブロードキャスト結果／装置情報取得結果の欄が設けられている。系構成情報ダウンロード機能部２３は、ＭＡＣアドレス／ＩＰアドレスリストを全マイクロ波無線通信装置１０にブロードキャスト送信する。そして、マイクロ波無線通信装置１０から応答を受信した場合、そのマイクロ波無線通信装置１０に対応する静的系構成情報を送信し、マイクロ波無線通信装置１０の監視情報を取得し画面上に反映する（ステップＳ１０８）。監視情報とは、マイクロ波無線通信装置１０のアラーム情報およびステータス情報である。
【００７６】
図１１は、Ｒｏｏｔ  ＮＥの静的系構成情報の一例を示す説明図である。図１１には、ネットワークアドレスが１７２．１８．０．０で、図６に示したネットワーク例であるＲｏｏｔ  ＮＥ／Ｂｒａｎｃｈ  ＮＥのサブネットマスク値が２５５．２５５．２５５．２４８だった場合について、Ｒｏｏｔ  ＮＥの静的系構成情報が示されている。図１１に例示された静的系構成情報には、分割されたサブネット名に対応してネットワークアドレス／サブネットマスク／デフォルトゲートウェイの欄が設けられている。他Ｂｒａｎｃｈ  ＮＥの静的系構成情報は、Ｒｏｏｔ  ＮＥの静的系構成情報よりは少なく、配下のルーティング情報が判断できるようなデータ内容になっている。すなわち、静的系構成情報は、複数のマイクロ波無線通信装置１０を含むネットワークの系構成（少なくともサブネットの系構成）を特定しうる情報になっている。
【００７７】
図１２は、統合監視制御端末２０と各マイクロ波無線通信装置１０との間の動作を示すシーケンス図である。図１２に示す例では、統合監視制御端末２０が管理するネットワークに、複数のマイクロ波無線通信装置１０、すなわち無線通信装置１、無線通信装置２、無線通信装置３から無線通信装置ｎが配置されている。以下、図１１を参照して各無線通信装置への割当手順について説明する。
【００７８】
まず、統合監視制御端末２０と無線通信装置１間のＬＡＮリンクが確立する（ステップＳ２０１）。各無線通信装置は、隣接する無線通信装置と無線回線や有線回線で繋がると、ＬＡＮ接続のリンクが確立するハードウェア構造になっているとする。
【００７９】
統合監視制御端末２０は、全無線通信装置にＭＡＣアドレス／ＩＰアドレスリスト（ＭＡＣアドレスとＩＰアドレスとが対応付けられて設定された識別情報）をブロードキャスト送信する（ステップＳ２０２）。ＭＡＣアドレス／ＩＰアドレスリストとは、図５に示されたＭＡＣアドレス／ＩＰアドレス照合データベースのＭＡＣアドレスとＩＰアドレスのみを抽出したリストである。
【００８０】
各無線通信装置は、ブロードキャスト送信されたＭＡＣアドレス／ＩＰアドレスリストにおけるＭＡＣアドレスのうち、自ＭＡＣアドレス保存部１６に登録されているＭＡＣアドレスと一致するＭＡＣアドレスを自ＭＡＣアドレスとして検出する。例えば、無線通信装置１が、送信されてきたＭＡＣアドレス／ＩＰアドレスリストから自ＭＡＣアドレスを検出すると、リスト登録されている自ＭＡＣアドレスに対応するＩＰアドレスを自ＩＰアドレス保存部１８に保存し、統合監視制御端末２０に正常受信の応答を返信する（ステップＳ２０３）。
【００８１】
統合監視制御端末２０は、無線通信装置１からの応答を受信すると、ＭＡＣアドレス／ＩＰアドレス照合データベースの対応するブロードキャスト結果をＮＧからＯＫに更新する（ステップＳ２０４）。
【００８２】
その後、統合監視制御端末２０は、無線通信装置１に静的系構成情報を送信する（ステップＳ２０５）。静的系構成情報とは、図１１に示されたＲｏｏｔ  ＮＥの静的系構成情報のデータである。
【００８３】
無線通信装置１が、送信されてきた静的系構成情報を受信すると、系構成テーブル保存部１７に静的系構成情報を保存した後、統合監視制御端末２０に正常受信の応答を返信する（ステップＳ２０６）。統合監視制御端末２０は、無線通信装置１に装置情報要求を送信する（ステップＳ２０７）。
【００８４】
無線通信装置１は、装置情報要求を受信すると、装置情報を統合監視制御端末２０に送信する（ステップＳ２０８）。
【００８５】
無線通信装置２から無線通信装置ｎについても、同じシーケンス（ステップ２０３〜ステップ２０８）で動作する。その結果、統合監視制御端末２０は、統合監視制御端末２０の表示部にシンボルで描画された全マイクロ波無線通信装置１０の装置情報を取得できる。よって、統合監視制御端末２０は、全マイクロ波無線通信装置１０の装置情報を表示部に反映することができる。
【００８６】
本実施の形態によれば、統合監視制御端末２０は、装置シンボル描画機能部２１、ＩＰアドレス自動割当機能部２２および系構成情報ダウンロード機能部２３を実装しているので、同一ネットワークにおけるマイクロ波無線通信装置のＭＡＣアドレスによる機器管理とＩＰアドレスの管理とをすることができる。
【００８７】
マイクロ波無線通信装置１０は、自ＭＡＣアドレスを検出し、統合監視制御端末２０から送信されたＩＰアドレスおよび系構成情報を保存する。従って、マイクロ波無線通信装置１０の設置時に、保守員が設置場所に行って順次装置を接続するだけで、統合監視制御端末２０からＩＰアドレスおよび系構成情報を自動的に取得してマイクロ波無線通信装置１０を運用状態にすることができる。その結果、保守員の作業効率化を図ることができる。
【００８８】
また、マイクロ波無線通信装置１０の設置時に、人を介してＩＰアドレス割当てや系構成情報をマイクロ波無線通信装置にダウンロードさせる必要はなく、誤って異常データをマイクロ波無線通信装置にダウンロードさせて装置立ち上げができなくなったり、アドレスの重複登録による装置間のネットワーク接続異常などにより統合監視制御端末２０が監視制御を正常に実施できなくなるという問題を回避することができる。
【００８９】
しかも、問題が発生した場合の原因を調査するために、各マイクロ波無線通信装置がダウンロードした情報を詳細に点検する多大な保守員の作業を回避することができる。
【００９０】
さらに、ＩＰアドレス自動割当機能部２２でのネットワーク内をサブネットに分割する方法として深さ優先探索を応用して用いているので、最適なＩＰアドレス割当てをすることができる。また、マイクロ波無線通信装置の無線区間や有線区間の分岐がハードウェアの改造などにより多分岐構造になった場合でも対応することができる。
【産業上の利用可能性】
【００９１】
本発明は、複数のマイクロ波無線通信装置が存在するマイクロ波無線通信システムにおいて適用可能である。
【図面の簡単な説明】
【００９２】
【図１】本発明によるマイクロ波無線通信システムにおける統合監視制御端末の構成の一例を示すブロック図である。
【図２】マイクロ波無線通信装置の構成の一例を示すブロック図である。
【図３】統合監視制御端末の表示部に表示される画面の一例を示す説明図である。
【図４】統合監視制御端末の表示部に表示される画面の他の例を示す説明図である。
【図５】ＭＡＣアドレス／ＩＰアドレス照合データベースに記憶される内容の一例を示す説明図である。
【図６】統合監視制御端末のＩＰアドレス自動割当機能の一例を示す説明図である。
【図７】本発明による１ネットワークをサブネットに分割していく深さ優先探索を応用した分割方法の一例を示すフローチャートである。
【図８】本発明による１ネットワークをサブネットに分割していく深さ優先探索を応用した分割方法の一例を示すフローチャートである。
【図９】４つのポート優先順位リストを示す説明図である。
【図１０】統合監視制御端末の動作を示すフローチャートである。
【図１１】Ｒｏｏｔ  ＮＥの静的系構成情報の一例を示す説明図である。
【図１２】統合監視制御端末と各マイクロ波無線通信装置間の動作を示すシーケンス図である。
【符号の説明】
【００９３】
１０    マイクロ波無線通信装置
１１    制御部
１２    無線回線部
１３    有線回線部
１４    分岐用有線回線部
１５    統合監視制御端末インタフェース部
１６    自ＭＡＣアドレス保存部
１７    系構成テーブル保存部
１８    自ＩＰアドレス保存部
１９    アンテナ
２０    統合監視制御端末
２１    装置シンボル描画機能部
２２    ＩＰアドレス自動割当機能部
２３    系構成情報ダウンロード機能部
【図１】
0004586722.tif 000002
【図２】
0004586722.tif 000003
【図３】
0004586722.tif 000004
【図４】
0004586722.tif 000005
【図５】
0004586722.tif 000006
【図６】
0004586722.tif 000007
【図７】
0004586722.tif 000008
【図８】
0004586722.tif 000009
【図９】
0004586722.tif 000010
【図１０】
0004586722.tif 000011
【図１１】
0004586722.tif 000012
【図１２】
0004586722.tif 000013